(57)【要約】【課題】装着される筆記具の軸筒外径や軸筒外周面形状が異なる場合でも、その筆記具を容易に装着可能にすることができる筆記具用陳列具を提供する。【解決手段】ケース本体１０に、筆記具１に応じて選択されるスペーサ２０を着脱交換可能に装着してなる筆記具用陳列具であって、前記スペーサ２０に筆記具１の軸筒１ｃ外周に倣う筆記具挿入孔２１を形成してなり、前記スペーサ２０の交換により、軸筒外径や軸筒外周面形状が異なる筆記具を装着可能にした。【選択図】　　　　　図１
2004130626.tif 000002
【特許請求の範囲】
【請求項１】
ケース本体に、筆記具に応じて選択されるスペーサを着脱交換可能に装着してなる筆記具用陳列具であって、
前記スペーサには、筆記具の軸筒外周に倣う筆記具挿入孔が形成されていることを特徴とする筆記具用陳列具。
【請求項２】
上記ケース本体には、上記スペーサの筆記具挿入孔と連通する連通孔が形成され、
該連通孔には、挿入される筆記具の筆記先端部側に当接することで、前記筆記具の筆記先端部を上記ケース本体外へ貫通させないようにする当接部が形成されていることを特徴とする請求項１記載の筆記具用陳列具。
【請求項３】
上記スペーサは、上記筆記具挿入孔の周壁部を、上記ケース本体側へ突出させて、上記ケース本体の連通孔に嵌め合わせていることを特徴とする請求項２記載の筆記具用陳列具。
【発明の詳細な説明】
【０００１】
【発明の属する技術分野】
本発明は、筆記具を一本づつ孔に挿入させて販売のために陳列する筆記具用陳列具に関するものである。
【０００２】
【従来の技術】
従来、この種の筆記具用陳列具には、略箱状のケースにおける平坦な上面に、筆記具を抜き差し可能な筆記具挿入孔を、所定間隔置きに複数形成し、これら複数の筆記具挿入孔の各々に筆記具が一本づつ挿入され支持されるようにしたものがある。（例えば、非特許文献１参照。）。
【０００３】
上記従来の筆記具用陳列具は、複数の筆記具を所定間隔置きに支持するため、筆記具同士の干渉によって筆記具の外周面を傷付けてしまうような恐れがない上、装着された各筆記具の輪郭及び形状が目視で明確に把握し易い等、様々な利点を有する。
しかしながら、上記従来の筆記具用陳列具によれば、軸筒外径や軸筒外周面形状の異なる筆記具を装着しようとした場合に装着不能あるいはガタツキ発生等の不具合を生じる。例えば、装着しようとしている筆記具の軸筒外径が、予め装着されていた筆記具の軸筒外径よりも太い場合には、装着しようとしている筆記具の軸筒が筆記具挿入孔に入らず装着不能となる。また、装着しようとしている筆記具の軸筒外径が、予め装着されていた筆記具の軸筒外径よりも太い場合には、軸筒外周と筆記具挿入孔との間の隙間が大きくなりガタツキを生じる。また、軸筒外周面形状が異なる筆記具を装着しようとした場合にも、同様の問題を生じる場合がある。
そこで、上記従来技術によれば、軸筒外径や軸筒外周面形状の異なる筆記具を装着するためには、別途筆記具挿入孔の内径や形状が異なる筆記具用陳列具を製造し用いているのが現状であった。
【０００４】
【非特許文献１】
「２０００年ゼブラ総合カタログ」
発行所：ゼブラ株式会社
発行日：２０００年１月１日
ｐ．２０８（製品番号：ＤＰＪ−Ｊ１００１）
【０００５】
【発明が解決しようとする課題】
本発明は上記従来事情に鑑みてなされたものであり、その課題とする処は、装着される筆記具の軸筒外径や軸筒外周面形状が異なる場合でも、その筆記具を容易に装着可能にすることができる筆記具用陳列具を提供することにある。
【０００６】
【課題を解決するための手段】
上記課題を解決するために第一の発明は、ケース本体に、筆記具に応じて選択されるスペーサを着脱交換可能に装着してなる筆記具用陳列具であって、前記スペーサには、筆記具の軸筒外周に倣う筆記具挿入孔が形成されていることを特徴とする。
【０００７】
更に、第二の発明によれば、上記ケース本体には、上記スペーサの筆記具挿入孔と連通する連通孔が形成され、該連通孔には、挿入される筆記具の筆記先端部側に当接することで、前記筆記具の筆記先端部を上記ケース本体外へ貫通させないようにする当接部が形成されていることを特徴とする。
【０００８】
また、第三の発明によれば、上記スペーサは、上記筆記具挿入孔の周壁部を、上記ケース本体側へ突出させて、上記ケース本体の連通孔に嵌め合わせていることを特徴とする。
【０００９】
【発明の実施の形態】
以下、本発明の実施の形態を図面に基づいて説明する。
この筆記具用陳列具Ａは、陳列棚の上面等の被載置面２に載置可能なケース本体１０に、筆記具１の軸筒１ｃ外径や軸筒１ｃの外周面形状等に応じて着脱交換されるスペーサ２０を装着している（図１及び２参照）。
【００１０】
ケース本体１０は、合成樹脂材料により、前後左右（図２における手前側、奥側、左側、右側）の側面部１１，１１，１１，１１と上面部１２とからなる下方開口の略箱状に一体成形され、上面部１２には、後述するスペーサ２０の筆記具挿入孔２１と連通する複数の連通孔１２ａが形成されている。
【００１１】
前記連通孔１２ａは、上面部１２の裏面から下方へ向かって突出する筒状部１０ａの内周面により構成される孔であり、該筒状部１０ａは、略ストレート状に形成されたスペーサ装着筒部１０ａ１と、該スペーサ装着筒部１０ａ１の下端から下方へ向かって先窄み状に延設された先窄み筒部１０ａ２と、該先窄み筒部１０ａ２下端から更にストレート状に下方へ延設されて筆記具１の筆記先端部１ａを貫通可能にしている筆記先端部貫通筒部１０ａ３とからなる。
【００１２】
そして、前記先窄み筒部１０ａ２の内周面と前記筆記先端部貫通筒部１０ａ３の内周面とが交わる角部を、挿入される筆記具１の筆記先端部側に当接することで、前記筆記具１の筆記先端部１ａを上記ケース本体１０外へ貫通させないようにする当接部１２ａ１（図２参照）としている。
【００１３】
当接部１２ａ１は、筆記具１における逆円錐状の先口１ｂ外周面に当接することで、挿入される筆記具１の筆記先端部１ａが被載置面２に突き当たることがないように、筆記先端部１ａと被載置面２との間にクリアランスｃを確保する。
【００１４】
尚、上記ケース本体１０の外観形状は、図示例に限定されるものでなく、例えば、上記左右または前後の側面部１１を省いた態様、あるいは上面部１２を平面視円形状や多角形状とした態様等であってもよい。
また、上記当接部１２ａ１は、挿入される筆記具１の筆記先端部側に当接することで、前記筆記具１の筆記先端部１ａを上記ケース本体１０外へ貫通させないようにするものであれば、上記態様に限定されず、例えば、上記先窄み筒部１０ａ２又は筆記先端部貫通筒部１０ａ３の内周面に、筆記具１の先口１ｂ外周面に当接させる突部を設けた態様であってもよい。
【００１５】
スペーサ２０は、合成樹脂材料から成形され、ケース本体１０の上面部１２に載置される平坦面部２０ａに、筆記先端部１ａの軸筒１ｃ外周に倣う筆記具挿入孔２１を複数形成しており、該筆記具挿入孔２１は、その周壁部２１ａをケース本体１０側へ突出させている。
【００１６】
前記周壁部２１ａは、その内周面である筆記具挿入孔２１を、筆記具１の軸筒１ｃを嵌め合わせ可能な直径に形成するとともに、その外周面を、ケース本体１０におけるスペーサ装着筒部１０ａ１内周面に嵌め合わせ可能な直径に形成した筒状を呈する。
【００１７】
上記構成のスペーサ２０は、軸筒外径や軸筒外周面形状等の異なる複数種類の筆記具に対応できるように、必要に応じて複数種類製作される。そして、これら複数種類のスペーサ２０は、筆記具の軸筒外径や軸筒外周面形状等に応じ適宜選択されて、ケース本体１０に装着される。
【００１８】
尚、上記ケース本体１０におけるスペーサ装着筒部１０ａ１及び上記スペーサ２０における周壁部２１ａは、図示例によれば略ストレート筒状であるが、実際に製造される製品においては成型上の抜きテーパーが設けられ、スペーサ装着筒部１０ａ１の内径が上方へ向かって次第に広がり、周壁部２１ａの外径が下方へ向かって次第に狭まっている。したがって、ケース本体１０のスペーサ装着筒部１０ａ１とスペーサ２０の周壁部２１ａとは、前記テーパーによりスムーズに嵌め合わせられることになる。
【００１９】
而して、上記筆記具用陳列具Ａによれば、例えば軸筒外径の異なる筆記具が装着される場合には、予め装着されていたスペーサ２０が、内径の異なる筆記具挿入孔２１’を有するスペーサ２０’に交換されることになる。
【００２０】
次に、本発明に係わる筆記具用陳列具の他例について説明する。尚、上記筆記具用陳列具Ａと同様の構成部位については同一の符号を付けることで重複説明を省略する。
【００２１】
図３に示す筆記具用陳列具Ｂは、上記筆記具用陳列具Ａにおけるスペーサ２０を、ケース本体１０の連通孔１２ａ毎に配設される複数のスペーサ３０に置き換えて構成されるものである。
スペーサ３０は、上記筆記具用陳列具Ａにおけるスペーサ２０を筆記具挿入孔２１毎に分離した形状を呈し、必要に応じて筆記具挿入孔２１の内径や内周面形状が異なるものが用意されケース本体１０に装着される。
したがって、この筆記具用陳列具Ｂによれば、同一のケース本体１０に、外径や外周面形状の異なる複数の筆記具を装着することができる。
【００２２】
次に、図４に示す筆記具用陳列具Ｃは、上記筆記具用陳列具Ａにおけるスペーサ２０を、周壁部２１ａ外周面に突部２１ａ１を設けたスペーサ４０に置き換えるとともに、上記ケース本体１０を、スペーサ装着筒部１０ａ１内周面に前記周壁部２１ａに係合可能な係合孔１０ａ１１を設けたケース本体５０に置き換えてなる。
この筆記具用陳列具Ｃによれば、スペーサ４０の突部２１ａ１が、ケース本体５０の係合孔１０ａ１１に弾性的に係合するため、運搬時や筆記具が抜かれる際等にスペーサ４０がケース本体５０から外れてしまうのを防止することができる。
【００２３】
また、図５に示す筆記具用陳列具Ｄは、上記筆記具用陳列具Ａにおけるスペーサ２０をスペーサ６０に置き換えた構成としている。
スペーサ６０は、上記スペーサ２０における下方へ突出する周壁部２１ａを省くとともに、平坦面部２０ａの外周に、ケース本体１０側へ突出してケース本体１０における上面部１２の周端面に嵌り合う突縁部６１を配設することで、ケース本体１０の上面部１２に覆い被せられる蓋状に形成される。
この筆記具用陳列具Ｄによれば、スペーサ６０を略平坦状な簡素形状にすることで、該スペーサ６０の成形性及び生産性を向上することができる。
尚、この筆記具用陳列具Ｄでは、スペーサ６０の突縁部６１内面が、ケース本体１０における上面部１２の周端面に嵌り合うことで、筆記具挿入孔２１の中心と連通孔１２ａの中心との位置合わせが行われることになるが、前記位置合わせがより正確に行われるようにする観点からは、上述した筆記具用陳列具Ａ乃至Ｃの構成とした方が好ましい。
【００２４】
また、図６（ａ）（ｂ）は、本発明筆記具用陳列具のスペーサの他例を示す。このスペーサ７０は、上記筆記具用陳列具Ａにおけるスペーサ２０の筆記具挿入孔２１内周面に、挿入される筆記具１の軸筒１ｃ外周面に頂部を接触させる軸筒受け突部７１を設けている。
このスペーサ７０によれば、上記スペーサ２０と比較して筆記具１の軸筒１ｃとの接触面積が小さくなるため、挿入される筆記具１の軸筒１ｃが筆記具挿入孔２１内に食い付くことで、筆記具１が抜け難くなったり、抜こうとした筆記具１と共にスペーサがケース本体１０から外れてしまったりするのを防止することができる。
尚、前記軸筒受け突部７１は、筆記具挿入孔２１の内周面に複数設けられる半球状等の突起とすることも可能であるが、スペーサ７０の成形性を良好にするためには、図示例のように軸方向の縦リブ状に形成されるのが好ましい。
【００２５】
また、上述した実施の形態の各々において、上記各スペーサの材質は、上記合成樹脂材料に限定されるものでなく、例えば軽量金属であってもよいが、好ましい一例としてエラストマー樹脂や合成ゴム等の弾性材料とすれば、筆記具１に与える衝撃を緩和するとともに、筆記具１とスペーサとの接触等により筆記具１が傷付けられてしまうのを防止することができる。
【００２６】
また、図７に例示するスペーサ８０は、上記スペーサ２０における平坦面部２０ａの表面又は裏面における隣り合う筆記具挿入孔２１，２１の略中央に、当該スペーサ８０の所定範囲を容易に分離可能にする分離溝８１を設けている。
分離溝８１は、図示例によれば縦断面Ｖ字状としているが、縦断面凹状またはその他の断面形状の溝であってもよい。そして、この分離溝は、分離性を良好にするとともに分離された際の端面の外観的体裁を良好にするために、平坦面部２０ａにおける両端部間（図７における手前側端部と奥側端部との間）にわたって連続的に略均一な深さで形成されるのが好ましい。
また、このスペーサ８０の材質は、折り曲げられることで容易に破断されるように硬質の合成樹脂材料であることが好ましいが、軟質合成樹脂材料としハサミやカッター等によって切断されるようにしてもよい。
このスペーサ８０によれば、平坦面部２０ａの所定範囲を分離して用いることができるため、例えば、ケース本体１０における所望とする筆記具挿入孔２１のみに、該スペーサ８０の分離された部位を嵌め合わせることで、同一のケース本体１０に対して部分的に、軸筒外径や軸筒外周形状の異なる筆記具を装着可能にすることができる上、その装着可能な範囲を容易に調整することができる。また、大きさ異なるケース本体１０を複数種類用意し、各ケース本体１０の大きさに応じてスペーサ８０を分離して用いることも可能となる。
【００２７】
【発明の効果】
本発明は、以上説明したように構成されているので、以下に記載されるような作用効果を奏する。
第一の発明によれば、筆記具の軸筒外周に倣って筆記具挿入孔を形成したスペーサを、ケース本体に対し着脱交換可能に装着しているため、例えば軸筒外径が異なる筆記具を装着する場合には、予め装着されていたスペーサを、筆記具挿入孔の外径が異なるスペーサに交換すればよく、ケース本体については交換の必要のない共通部品として何回でも再利用することができる。
したがって、装着される筆記具の軸筒外径や軸筒外周面形状が異なる場合でも、スペーサの交換によってその筆記具を容易に装着可能にすることができる筆記具用陳列具を提供することができる。
更に、第二の発明によれば、ケース本体の当接部により装着される筆記具の筆記先端部をケース本体外へ貫通させないようにしているため、装着される筆記具の筆記先端部を損傷するようなことがない。
しかも、筆記具の筆記先端部側に当接させる当接部をケース本体に形成しているため、スペーサを簡素な形状にすることができる。したがって、多種類容易されるスペーサの成形性を向上して、当該筆記具用陳列具の生産性を向上することができる。
更に、第三の発明によれば、スペーサの筆記具挿入孔の周壁部をケース本体の連通孔に嵌め合わせているため、筆記具挿通孔と連通孔とを正確に芯合わせすることができ、そのことによって、挿入される筆記具を、ガタツキ等なく安定した状態で支持することができる。
【図面の簡単な説明】
【図１】本発明に係わる筆記具用陳列具の一例を示す斜視図であり、要部を断面で示している。
【図２】同筆記具用陳列具の縦断面図である。
【図３】本発明に係わる筆記具用陳列具の他例を示す縦断面図である。
【図４】本発明に係わる筆記具用陳列具の他例を示す縦断面図である。
【図５】本発明に係わる筆記具用陳列具の他例を示す縦断面図である。
【図６】スペーサの他例を示し、（ａ）は平面図、（ｂ）は縦断面図である。
【図７】スペーサの他例を示す側面図である。
【符号の説明】
１０：ケース本体
１２ａ：連通孔
１２ａ１：当接部
２０：スペーサ
２１：筆記具挿入孔
Ａ，Ｂ，Ｃ，Ｄ：筆記具用陳列具
【図１】
2004130626.tif 000003
【図２】
2004130626.tif 000004
【図３】
2004130626.tif 000005
【図４】
2004130626.tif 000006
【図５】
2004130626.tif 000007
【図６】
2004130626.tif 000008
【図７】
2004130626.tif 000009